【手続補正書】
【提出日】平成17年3月9日(2005.3.9)
【手続補正１】
【補正対象書類名】特許請求の範囲
【補正対象項目名】全文
【補正方法】変更
【補正の内容】
【特許請求の範囲】
【請求項１】
基地局と、複数のモバイル端末（ＭＴ）とを備える無線デジタル通信システムにおいて、無線資源の使用を最適化しデータレートを調整する方法であって、
（ａ）前記基地局が、前記ＭＴの少なくとも１つのための送信用ダウンリンク（ＤＬ）データのブロックを受信したとき、前記ＭＴにチャネル品質測定の要求を送信するステップと、
（ｂ）前記少なくとも１つのＭＴが前記要求を受信するステップと、
（ｃ）前記少なくとも１つのＭＴが前記ダウンリンクチャネル品質を測定して前記基地局にレポートするステップと、
（ｄ）前記少なくとも１つのＭＴから受信した前記チャネル品質測定の結果に応答して、前記基地局が前記無線資源を割り振るステップと、
（ｅ）前記基地局が、前記割振りに従って前記少なくとも１つのＭＴにＤＬデータのブロックを送信するステップとを含むことを特徴とする方法。
【請求項２】
前記割振りは、変調タイプ、符号化レートおよびタイムスロット情報を含むことを特徴とする請求項１に記載の方法。
【請求項３】
前記少なくとも１つのＭＴが、前記割振りの受信に応答して、前記割振りに従ってダウンリンクデータを受信する準備をするステップをさらに含むことを特徴とする請求項１に記載の方法。
【請求項４】
ステップ（ａ）は、前記基地局が前記測定結果に対して特定のスロットを示すことをさらに含むことを特徴とする請求項１に記載の方法。
【請求項５】
前記ステップ（ｃ）は、前記基地局が前記基地局への伝送に対してどのスロットに前記少なくとも１つのＭＴが割り振られたかを示すことをさらに含むことを特徴とする請求項４に記載の方法。
【請求項６】
ステップ（ｃ）は、前記基地局が前記少なくとも１つのＭＴによって使用されるべき前記割り振られたスロットを示すことをさらに含むことを特徴とする請求項１に記載の方法。
【請求項７】
前記少なくとも１つのＭＴは、前記割振りに従って前記基地局による送信を受信することを特徴とする請求項２に記載の方法。
【請求項８】
基地局と、複数のモバイル端末（ＭＴ）とを備える無線デジタル通信システムにおいて、無線資源の使用を最適化しデータレートを調整する方法であって、
（ａ）前記基地局が、前記ＭＴの所与のいくつかに対して指定されたダウンリンクデータのブロックを受信したとき、前記所与のＭＴにチャネル品質測定の要求を送信するステップと、
（ｂ）前記所与のＭＴが前記要求された測定を実施するステップと、
（ｃ）前記所与のＭＴが前記チャネル品質測定の結果を前記基地局に送信するステップと、
（ｄ）ダウンリンクチャネル品質をレポートするＭＴの前記所与のいくつかから受信した前記チャネル品質測定データに応答して、前記基地局が、前記所与のいくつかのＭＴから、前記無線資源を最大限利用することができる好ましいいくつかのＭＴを判定するステップと、
（ｅ）前記基地局が、前記好ましいＭＴによって使用されるべきタイムスロットを割り振るステップとを含むことを特徴とする方法。
【請求項９】
基地局と、複数のモバイル端末（ＭＴ）とを備える無線デジタル通信システムにおいて、無線資源の使用を最適化しデータレートを調整する方法であって、
（ａ）前記基地局が、所与のＭＴに対して指定されたダウンリンクデータのブロックを受信したとき、前記ＭＴの所与のいくつかにチャネル品質測定の要求を送信するステップと、
（ｂ）ダウンリンクチャネル品質をレポートする前記ＭＴの前記所与のいくつかから受信した前記チャネル品質測定のデータに応答して、前記基地局が、前記ＭＴの前記所与のいくつかから、前記無線資源を最大限利用することができる好ましいいくつかのＭＴを判定するステップと、
（ｃ）前記チャネル品質測定の結果、および前記所与のＭＴへの送信に利用可能なダウンリンクデータの量に従って、前記基地局が、前記好ましいＭＴに所与の数のタイムスロットを割り振るステップとを含むことを特徴とする方法。
【請求項１０】
基地局と、複数のモバイル端末（ＭＴ）とを備える無線デジタル通信システムであって、
（ａ）前記ＭＴの所与のいくつかに対して指定されたダウンリンクデータのブロックを受信する手段、およびＭＴの前記所与のいくつかにチャネル品質測定の要求を送信する手段を有する前記基地局と、
（ｂ）このような要求を受信するＭＴの前記所与のいくつかであって、ダウンリンクの品質を測定する手段、および前記基地局に前記測定したダウンリンクチャネル品質をレポートする手段を有するＭＴと、
（ｃ）ダウンリンクチャネル品質をレポートするＭＴの前記所与のいくつかから受信した前記チャネル品質測定のデータに応答して、ＭＴの前記所与のいくつかから、前記無線資源を最大限利用することができる好ましいいくつかのＭＴを判定する手段を有する前記基地局と、
（ｄ）各好ましいＭＴに対して、前記チャネル品質測定の結果に応じて変調／符号化レートを判定する手段、および前記それぞれの好ましいＭＴから入手した前記チャネル品質測定結果に従って前記好ましいＭＴに変調／符号化レートを送信する手段をさらに有する前記基地局と、
（ｅ）前記（ｄ）で指定された前記変調／符号化レートで、ダウンリンクデータのブロックを前記好ましいＭＴに送信する前記基地局とを備えることを特徴とするシステム。
【請求項１１】
前記ＭＴは、前記チャネル割振りおよび変調／符号化レート情報の受信に応答して、指定されたチャネル割振りおよび変調／符号化レートに従ってダウンリンクデータを受信する準備をする手段を含むことを特徴とする請求項１０に記載のシステム。
【請求項１２】
基地局と、複数のユーザ機器（ＵＥ）とを備える無線デジタル通信システムであって、
（ａ）前記ＵＥの所与のいくつかに対して指定されたダウンリンクデータのブロックを受信する手段、および所与のＵＥにチャネル品質測定の要求を送信する手段を有する前記基地局と、
（ｂ）このような要求を受信するＵＥの前記所与のいくつかであって、ダウンリンクの品質を測定する手段、および前記基地局に前記測定したダウンリンクチャネル品質をレポートする手段を有するＵＥと、
（ｃ）前記好ましいＵＥにタイムスロットを割り振る手段をさらに有する前記基地局とを備えることを特徴とするシステム。
【請求項１３】
前記基地局は、ダウンリンクチャネル品質をレポートするＭＴの前記所与のいくつかから受信した前記チャネル品質測定のデータに応答して、ＵＥの前記所与のいくつかから、前記無線資源を最大限利用することができる好ましいいくつかのＵＥを判定する手段を有することを特徴とする請求項１２に記載のシステム。
【請求項１４】
前記好ましいＵＥは、前記チャネル割振りの受信に応答して、指定されたチャネル割振りおよび変調／符号化レートに従ってダウンリンクデータを受信する準備をする手段を含むことを特徴とする請求項１２に記載のシステム。
【請求項１５】
基地局（ＢＳ）と、複数のユーザ機器（ＵＥ）とを備える無線デジタル通信システムであって、
（ａ）前記ＵＥの所与のいくつかに対して指定されたダウンリンクデータのブロックを受信する手段、およびＵＥの前記所与のいくつかにチャネル品質測定の要求を送信する手段を有する前記ＢＳと、
（ｂ）このような要求を受信する前記ＵＥの前記所与のいくつかであって、ダウンリンクチャネル品質を測定する手段、および前記ＢＳに前記測定したダウンリンクチャネル品質をレポートする手段を有するＵＥと、
（ｃ）ダウンリンクチャネル品質をレポートするＵＥの前記所与のいくつかから受信した前記チャネル品質測定のデータに応答して、ＵＥの前記所与のいくつかから、前記無線資源を最大限利用することができる好ましいいくつかのＵＥを判定する手段を有する前記ＢＳと、
（ｄ）ＵＥの前記好ましいいくつかのそれぞれに対して、前記チャネル品質測定の結果に応じて変調／符号化レートを判定する手段、および前記ＵＥの前記好ましいいくつかに前記変調／符号化レートを送信する手段をさらに有する前記ＢＳとを備えることを特徴とするシステム。
【請求項１６】
前記好ましいＵＥは、前記チャネル割振りの受信に応答して、指定されたチャネル割振りおよび変調／符号化レートに従ってダウンリンクデータを受信する準備をする手段を含むことを特徴とする請求項１５に記載の方法。
【請求項１７】
基地局（ＢＳ）と、複数のユーザ機器（ＵＥ）とを備える無線デジタル通信システムにおいて、無線資源の使用を最適化しデータレートを調整する方法であって、
（ａ）前記ＢＳが、前記ＵＥの少なくとも１つへの送信用ダウンリンクデータのブロックを受信したとき、前記ＵＥにチャネル品質測定の要求を送信するステップと、
（ｂ）前記少なくとも１つのＵＥが前記要求を受信するステップと、
（ｃ）前記少なくとも１つのＵＥが前記ダウンリンクチャネル品質を測定するステップと、
（ｄ）前記少なくとも１つのＵＥが前記ダウンリンクチャネル品質を前記ＢＳにレポートするステップと、
（ｅ）前記少なくとも１つのＵＥから受信した前記チャネル品質測定の結果に応答して、前記ＢＳが前記無線資源を割り振るステップと、
（ｆ）前記ＢＳが、前記割振りに従って前記少なくとも１つのＵＥに送信を行うステップとを含むことを特徴とする方法。
【請求項１８】
ステップ（ａ）は、前記ＢＳが前記チャネル品質測定結果に対して要求されたスロットの特定の無線資源を示すことをさらに含むことを特徴とする請求項１７に記載の方法。
【請求項１９】
前記割振りステップは、変調タイプ、符号化レートおよびタイムスロット情報を含むことを特徴とする請求項１７に記載の方法。
【請求項２０】
前記少なくとも１つのＵＥが、前記割振りの受信に応答して、前記割振りに従ってダウンリンクデータを受信する準備をするステップをさらに含むことを特徴とする請求項１６に記載の方法。
【請求項２１】
ステップ（ｅ）は、前記ＢＳが前記ＵＥに前記割振りを送信することを含むことを特徴とする請求項１７に記載の方法。
【請求項２２】
ステップ（ｃ）は、前記ＢＳが前記ＵＥに最も高いチャネル品質から最も低いチャネル品質まで優先順位をつけ、前記最も高い品質チャネルをレポートする前記ＵＥに最初にスロットを割り振ることをさらに含むことを特徴とする請求項１７に記載の方法。
【請求項２３】
前記ＵＥは、前記割振りに従って前記基地局からの送信を受信することを特徴とする請求項２２に記載の方法。
【請求項２４】
基地局（ＢＳ）と、複数のユーザ機器（ＵＥ）とを備える無線デジタル通信システムにおいて、無線資源の使用を最適化する方法であって、
（ａ）前記ＢＳが、少なくとも１つのダウンリンク（ＤＬ）データブロックを受信するステップと、
（ｂ）前記ＢＳが、前記データブロックの行き先として特定のＵＥを判定するステップと、
（ｃ）前記ＢＳが、前記特定のＵＥにＤＬチャネル品質（ＣＱ）測定の要求を送信するステップと、
（ｄ）前記ＵＥが、前記ＤＬ  ＣＱの測定を実施するステップと、
（ｅ）前記ＵＥが、前記測定の結果を前記ＢＳに送信するステップと、
（ｆ）前記ＢＳが、前記測定結果に基づいて無線資源に優先順位をつけて割り振るステップと、
（ｇ）前記ＢＳが、前記割振りを前記ＵＥに送信するステップと、
（ｈ）前記ＵＥが、前記割振りに応答して調整を行うステップと、
（ｉ）前記ＢＳが、前記割振りに従って前記ＤＬデータを送信するステップと、
（ｊ）前記ＵＥが、前記ＤＬデータを受信するステップとを含むことを特徴とする方法。
【請求項２５】
基地局（ＢＳ）と、複数のユーザ機器（ＵＥ）とを備える無線デジタル通信ネットワークにおいて、無線資源の使用を最適化するシステムであって、
（ａ）前記ＢＳで、少なくとも１つのダウンリンク（ＤＬ）データブロックを受信する手段と、
（ｂ）前記ＢＳで、前記データブロックの行き先として特定のＵＥを判定する手段と、
（ｃ）前記ＢＳで、前記特定のＵＥにＤＬチャネル品質（ＣＱ）測定の要求を送信する手段と、
（ｄ）前記ＵＥで、前記ＤＬ  ＣＱの測定を実施する手段と、
（ｅ）前記ＵＥで、前記測定の結果を前記ＢＳに送信する手段と、
（ｆ）前記ＢＳで、前記測定結果に基づいて無線資源に優先順位をつけて割り振る手段と、
（ｇ）前記ＢＳで、前記割振りを前記ＵＥに送信する手段と、
（ｈ）前記ＵＥで、前記割振りに応答して調整を行う手段と、
（ｉ）前記ＢＳで、前記割振りに従って前記ＤＬデータを送信し、前記ＵＥで、前記ＤＬデータを受信する手段とを備えることを特徴とするシステム。
【請求項２６】
基地局と、複数のユーザ装置とを備える無線通信システムにおいて、無線資源の使用を最適化しデータレートを調整する方法であって、
前記基地局にダウンリンクデータのブロックを送信するステップであって、該ダウンリンクデータは、前記複数のユーザ装置のうちの一つへの送信用に指定されるステップと、
前記指定されたユーザ装置に前記基地局によってダウンリンクチャネル品質測定を要求するステップと、
前記基地局からの該要求に応答して、前記指定されたユーザ装置において前記ダウンリンクチャネル品質を測定するステップと、
前記基地局に該ダウンリンクチャネル品質測定結果をレポートするステップと、
該レポートされたダウンリンクチャネル品質測定に基づいて、前記指定されたユーザ装置に前記基地局によって無線資源を割振るステップと、
該基地局から、前記指定されたユーザ装置に前記ダウンリンクデータを送信するステップとを含むことを特徴とする方法。
【請求項２７】
前記要求ステップは、特定無線資源に関する測定の要求を含み、
前記測定ステップは、前記特定無線資源に関するダウンリンクチャネル品質を測定することを含むことを特徴とする請求項２６に記載の方法。
【請求項２８】
前記割振りステップは、符号化レートと、変調タイプと、タイムスロット情報とを決定することを含むことを特徴とする請求項２６に記載の方法。
【請求項２９】
前記指定されたユーザ装置において前記無線資源割振り情報を受信するステップと、
前記指定されたユーザ装置をセットアップし、前記無線資源割振り情報に基づいて前記ダウンリンクデータの受信を行うステップとを更に備え、
前記受信ステップおよびセットアップステップは、前記割振りステップおよび前記送信ステップとの間で実行されることを特徴とする請求項２６に記載の方法。
【請求項３０】
基地局と、複数のユーザ装置とを含む無線通信システムにおいて、無線資源の使用を最適化する方法であって、
前記基地局にダウンリンクデータのブロックを送信するステップであって、該データは、前記複数のユーザ装置への送信用に指定されるステップと、
待ち状態のダウンリンク送信を有する複数のユーザ装置の各々に前記基地局によってダウンリンクチャネル品質測定を要求するステップと、
前記基地局からの前記要求に応答して、待ち状態のダウンリンク送信を有する前記複数のユーザ装置各々において前記ダウンリンクチャネル品質を測定するステップと、
前記基地局に前記ダウンリンクチャネル品質測定結果の各々をレポートするステップと、
前記各ダウンリンクチャネル品質測定結果に基づいて、待ち状態のダウンリンク送信を有する前記複数のユーザ装置の各々に前記基地局によって無線資源を割振るステップと、
前記基地局から待ち状態のダウンリンク送信を有する前記複数のユーザ装置の各々に前記ダウンリンクデータを送信するステップとを含むことを特徴とする方法。
【請求項３１】
前記割振りステップは、待ち状態のダウンリンク送信を有する前記複数のユーザ装置の各々に関して、前記符号化レートと、前記変調タイプと、タイムスロット情報と、を決定することを含むことを特徴とする請求項３０に記載の方法。
【請求項３２】
前記割振りステップは、ぞれぞれのダウンリンクチャネル品質測定結果によって、ダウンリンクデータを最初に受信して、最高のダウンリンクチャネル品質の測定結果を有する前記ユーザ装置から降順で、待ち状態の無線資源用ダウンリンク送信を有する前記複数のユーザ装置の各々に優先順位を付けることを含むことを特徴とする請求項３０に記載の方法。
【請求項３３】
前記要求ステップは、特定無線資源に関する測定要求を含み、
前記測定ステップは、前記特定無線資源に関する前記ダウンリンクチャネル品質を測定することを含むことを特徴とする請求項３０に記載の方法。
【請求項３４】
待ち状態のダウンリンク送信を有する前記複数のユーザ装置の各々において、
前記無線資源割振り情報を受信するステップと、
前記無線資源割振り情報に基づいて、待ち状態のダウンリンク送信を有する前記複数のユーザ装置の各々をセットアップし、前記ダウンリンク送信を受信するステップと、を更に備え、
前記受信ステップおよびセットアップステップは、前記割振りステップと、前記送信ステップとの間で実行されることを特徴とする請求項３０に記載の方法。
【請求項３５】
無線通信システムにおける無線資源の使用を最適化するシステムであって、
基地局と、
複数のユーザ装置とを備え、
前記基地局は、
前記複数のユーザ装置のうちの一つに指定されたダウンリンクデータのブロックを受信する第１受信手段と、
前記指定されたユーザ装置にダウンリンクチャネル品質測定を要求する要求手段と、
前記指定されたユーザ装置から前記ダウンリンクチャネル品質測定結果を受信する第２受信手段と、
前記指定されたユーザ装置に無線資源を割振る割振り手段と、
前記指定されたユーザ装置に前記ダウンリンクデータを送信する送信手段と、を含み、
前記複数のユーザ装置の各々は、
前記ダウンリンクチャネル品質測定要求を受信する第１受信手段と、
前記ダウンリンクチャネル品質を測定する測定手段と、
前記基地局に前記ダウンリンクチャネル品質測定結果をレポートするレポート手段と、
前記ダウンリンクデータを受信する第２受信手段とを含むことを特徴とするシステム。
【請求項３６】
前記複数のユーザ装置の各々は、
前記基地局から前記無線資源割振り情報を受信する第３受信手段と、
前記無線資源割振り情報に基づいて前記指定されたユーザ装置のパラメータを設定する設定手段とを更に含むことを特徴とする請求項３５に記載のシステム。
【請求項３７】
前記測定手段は、前記ダウンリンクチャネル品質測定要求の受信時だけに動作することを特徴とする請求項３５に記載のシステム。
【請求項３８】
複数のユーザ装置を備える無線通信システムにおける無線資源の使用を最適化する基地局であって、
前記複数のユーザ装置のうちの一つに指定されたダウンリンクデータのブロックを受信する第１受信手段と、
前記指定されたユーザ装置にダウンリンクチャネル品質測定を要求する要求手段と、
前記指定されたユーザ装置から前記ダウンリンクチャネル品質測定結果を受信する第２受信手段と、
前記指定されたユーザ装置に無線資源を割振る割振り手段と、
前記指定されたユーザ装置に前記ダウンリンクデータを送信する送信手段とを含むことを特徴とする基地局。
【請求項３９】
基地局と、複数のユーザ装置と、を備えるシステムにおいて無線資源の使用を最適化させたユーザ装置であって、
前記複数のユーザ装置の各々は、
ダウンリンクチャネル品質測定要求を受信する第１受信手段と、
ダウンリンクチャネルの品質を測定する測定手段と、
前記基地局に前記ダウンリンクチャネル品質測定結果をレポートするレポート手段と、
前記ダウンリンクデータを受信する第２受信手段とを含むことを特徴とするユーザ装置。
【手続補正２】
【補正対象書類名】明細書
【補正対象項目名】００１０
【補正方法】変更
【補正の内容】
【００１０】
要するに、ＡＭ＆Ｃ技術の効率的な実施は、各伝送に先立って、最新の物理チャネル品質測定結果が受信機から利用可能であることに主として基づいている。測定結果は、アクティブなデータ伝送によって、すべてのユーザについて最小限の待ち時間で使用可能であることが最適である。専用制御チャネルによる解決策は絶えず測定結果を提供するが、伝送が不連続なので、無線資源を非効率に使用する。周期的になるよう構成された専用制御チャネルによって、無線資源の要件は最小限になるが、測定待ち時間が増す。共通制御チャネルによる方法は、絶えずまたは周期的に測定結果を提供することができるが、信号オーバーヘッドによって無線資源を非効率に使用することになる。
【手続補正３】
【補正対象書類名】明細書
【補正対象項目名】００１４
【補正方法】変更
【補正の内容】
【００１４】
図１は、本発明の動的チャネル品質（ＣＱ）測定手順６０を示す流れ図であり、この手順は、少なくとも１つのＵＥ３０と通信する基地局／ノードＢ（以後、基地局１２）を有する無線デジタル通信システムによって実施することができる。１つの基地局と複数のＵＥの間の通信をサポートする、本発明方法を意図したものではあるが、簡単にするために、以下の説明では１つのＵＥによって実施されるステップを詳述する。他のＵＥも同様のやり方で動作することを理解されたい。
【手続補正４】
【補正対象書類名】明細書
【補正対象項目名】００２１
【補正方法】変更
【補正の内容】
【００２１】
ダウンリンクデータのブロックは次いで、ＵＥ３０が受信のための設定を行う時間があるようにステップＳ７の実施から所与の、ただし短い、時間が経過した後で、指定されたＵＥ３０に基地局１２によって送信される（ステップＳ１０）。ＵＥ３０は、ステップＳ７で指定された符号化レート、変調タイプおよび割り振られたスロットでダウンリンクデータを受信する（ステップＳ１１）。
【手続補正５】
【補正対象書類名】明細書
【補正対象項目名】００２４
【補正方法】変更
【補正の内容】
【００２４】
図２に示す本発明の方法７０の代替実施形態によれば、特定の伝送に対して用いられる無線資源によって、特定の品質測定のみが必要とされる。たとえば、３Ｇ標準では、特定の物理タイムスロットのみに対するＣＱが要求され得る。したがって、実施される測定の回数は、ＣＱ測定の要求をアクティブな伝送のみに限定することによって、また、伝送の規模に従って、特定の無線資源（すなわち、特定のタイムスロット）に対してのみ測定を要求することによって削減される。これは図２に示してあるが、図２は、それぞれ図１のステップＳ２およびＳ３を置き換えた、変更されたステップＳ２ＡおよびＳ３Ａを除いて図１と同様である。ステップ２Ａでは、基地局１２は、特定の無線資源に関してのみ測定を実施するよう、ＵＥ３０に要求する。これに応答して、ＵＥは、特定の無線資源に関してのみＤＬ  ＣＱを実施する（ステップＳ３Ａ）。